(57)【要約】【課題】アスファルト、汚泥、汚水、銀杏、堆肥、海獣、野菜、生ゴミ又は塗料の臭いを異なる臭気に変調して、これらの臭いによる害を容易に解決することができる臭気変調剤、及び臭気変調方法を提供する。【解決手段】アスファルト、汚泥、汚水、銀杏、堆肥、海獣、野菜、生ゴミ又は塗料の臭いの変調用臭気変調剤であって、  フラン化合物、ピラン化合物及びシクロペンタノン誘導体から選択される少なくとも一種の含酸素環状化合物を含有することを特徴とする臭気変調剤。【選択図】なし【特許請求の範囲】
【請求項１】
アスファルト、汚泥、汚水、銀杏、堆肥、海獣、野菜、生ゴミ又は塗料の臭いの変調用臭気変調剤であって、
フラン化合物、ピラン化合物及びシクロペンタノン誘導体から選択される少なくとも一種の含酸素環状化合物を含有することを特徴とする臭気変調剤。
【請求項２】
前記含酸素環状化合物の含有量は、臭気変調剤を１００質量％として１０〜２０質量％である、請求項１に記載の臭気変調剤。
【請求項３】
前記フラン化合物は、フラネオール、フルフラール、５−メチルフルフラール、フルフリルメルカプタン、フルフリールアルコール、２−プロピオニルフラン、２−エチルフラン、メントフラン、２−メチル−３−フランチオール、２−メチル−３−テトラヒドロフランチオール、２−メチル−４，５−ジヒドロ−３−フランチオール、２−メチルフラン、２−メチルテトラヒドロフラン、２−ヘキサノイルフラン、２−ペンチルフラン、２−プロピルフラン、２−（３−フェニルプロピル）テトラヒドロフラン、２，３−ジヒドロベンゾフラン、２，４−ジメチル−４−フェニルテトラヒドロフラン、２−フルフリル−５−メチルフラン、２−ヘプチルフラン、２−メチルベンゾフラン、２−メチル−５−プロピオニルフラン、２−（５−エテニル−５−メチルテトラヒドロフラン−２−イル）−プロパナール、３−｛［２−メチル−（２ｏｒ４），５−ジヒドロ−３−フリル］チオ｝−２−メチルテトラヒドロフラン−３−チオール、２−エテニル−５−イソプロペニル−２−メチルテトラヒドロフラン、５−メチル−２−フランメタンチオール、６−メチル−２，３−ジヒドロチエノ［２，３−ｃ］フラン、２，５−ジメトキシテトラヒドロフラン、３−アセチル−２，５−ジメチルフラン、２−アセチル−５−メチルフラン、２−アセチルフラン、２−ブチルフラン、２，５−ジエチルテトラヒドロフラン、ジフルフリルジスルフィド、ジフルフリルエーテル、ジフルフリルスルフィド、及び２，５−ジメチル−３−フランチオールからなる群より選択される少なくとも一種である、請求項１又は２に記載の臭気変調剤。
【請求項４】
前記フラン化合物の含有量は、臭気変調剤を１００質量％として０．８〜５質量％である、請求項１〜３のいずれかに記載の臭気変調剤。
【請求項５】
前記ピラン化合物は、マルトール、エチルマルトール、４−アセトキシ−３−ペンチルテトラヒドロピラン、３，５−ジヒドロキシ−６−メチル−２，３−ジヒドロ−４（４Ｈ）−ピラノン、６−エテニル−２，２，６−トリメチルテトラヒドロピラン、５−メチル−３−ブチルテトラヒドロピラン−４−イルアセテート、オクタヒドロ−２Ｈ−１−ベンゾピラン−２−オン、４−メチル−２−（２−メチル−１−プロペニル）テトラヒドロピラン、テアスピラン、ビティスピラン、（２Ｓ，４ａＲ，８ａＳ）−２，５，５，８ａ−テトラメチル−３，４，４ａ，５，６，８ａ−ヘキサヒドロ−２Ｈ−１−ベンゾピラン、６−エテニル−２，２，６−トリメチルテトラヒドロ−３（４Ｈ）−ピラノン、６−ヒドロキシジヒドロテアスピラン、６−アセトキシジヒドロテアスピラン、及び２，６−ジエチル−５−イソプロピル−２−メチルテトラヒドロ−２Ｈ−ピランからなる群より選択される少なくとも１種である、請求項１〜４のいずれかに記載の臭気変調剤。
【請求項６】
前記ピラン化合物の含有量は、臭気変調剤を１００質量％として５〜２０質量％である、請求項１〜５のいずれかに記載の臭気変調剤。
【請求項７】
前記シクロペンタノン誘導体は、シクロペンタノン、シクロテン、シクロテンアセテート、シクロテンプロピオネート、シクロテンブチレート、シクロテンイソブチレート、２−ゲラニルシクロペンタノン、２−ヘキシルシクロペンタノン、２−ヘキシリデンシクロペンタノン、２−シクロペンチルシクロペンタノン、２−アミル−２−シクロペンテノン、３−メチル−２−ペンチル−２−シクロペンテノン、３−エチル−２−ヒドロキシ−２−シクロペンテノン、２−ヒドロキシ−３，４−ジメチル−２−シクロペンテノン、２−メチル−３−（２−ペンテニル）−２−シクロペンテノン、３−メチル−２−（ｃｉｓ−２−ペンテニル）−２−シクロペンテノン、３−メチル−２−（ｔｒａｎｓ−２−ペンテニル）−２−シクロペンテノン、３−メチル−２−シクロペンテノン、３−エチル−２−ヒドロキシ−４−メチル−２−シクロペンテノン、２−ヘキシル−２−シクロペンテノン、及び２，３−ジメチル−２−シクロペンテノンからなる群より選択される少なくとも１種である、請求項１〜６のいずれかに記載の臭気変調剤。
【請求項８】
前記シクロペンタノン誘導体の含有量は、臭気変調剤を１００質量％として０．１〜５質量％である、請求項１〜７のいずれかに記載の臭気変調剤。
【請求項９】
更に、バニリン系化合物を含有する、請求項１〜８のいずれかに記載の臭気変調剤。
【請求項１０】
前記バニリン系化合物は、バニリン、エチルバニリン、アセトアルデヒドエチルバニリンアセタール、バニリンアセテート、エチルバニリンイソブチレート、アセトバニロン、エチルバニレート、エチルバニリンプロピレングリコールアセタール、メチルバニレート、バニリックアシド、バニリンイソブチレート、ブチルバニレート、バニリン２，３−ブタンジオールアセタール、及びバニリンラクテートからなる群より選択される少なくとも一種である、請求項９に記載の臭気変調剤。
【請求項１１】
前記バニリン系化合物の含有量は、臭気変調剤を１００質量％として１０〜２０質量％である、請求項９又は１０に記載の臭気変調剤。
【請求項１２】
更に、ピリジン類を含有する、請求項１〜１１のいずれかに記載の臭気変調剤。
【請求項１３】
前記ピリジン類は、２−アセチルピリジン、３−アセチルピリジン、４−アセチルピリジン、２−アセチル−１，４，５，６−テトラヒドロピリジン、２−アセチル−４−イソプロペニルピリジン、４−アセチル−２−イソプロペニルピリジン、２−アセチル−４−イソプロピルピリジン、３，５−ジメチル−４，５，６，７−テトラヒドロチエノ［３，２−ｃ］ピリジン、及び２−アセチル−３，４，５，６−テトラヒドロピリジンからなる群より選択される少なくとも一種である、請求項１２に記載の臭気変調剤。
【請求項１４】
更に、ピラジン類を含有する、請求項１〜１３のいずれかに記載の臭気変調剤。
【請求項１５】
前記ピラジン類は、２−メチルチオ−３−メチルピラジン、２−メトキシ−３−メチルピラジン、２−エチル−３（５／６）ジメチルピラジン、２−エチル−３−メチルピラジン、２−メトキシ−５−メチルピラジン、２−アセチル−３，（５／６）−ジメチルピラジン、２−アセチル−３−エチルピラジン、２−アセチル−３−メチルピラジン、アセチルピラジン、２−（フルフリルチオ）−（３／５／６）−メチルピラジン、２−メチル−（５／６）−（メチルチオ）ピラジン、２−エチル−３−（メチルチオ）ピラジン２−イソプロピル−３−（メチルチオ）ピラジン、２−ｓｅｃ−ブチル−３−メトキシピラジン、２−エトキシ−（３／５／６）−メチルピラジン、２−エトキシ−３−エチルピラジン、２−エトキシ−３−イソプロピルピラジン、２−エチル−３−メトキシピラジン、２−ヘキシル−３−メトキシピラジン、２−イソブチル−３−メトキシピラジン、２−イソプロポキシ−３−メチルピラジン、２−イソプロピル−（３／５／６）−メトキシピラジン、２−メトキシ−（５／６）−メチルピラジン、２−メトキシ−３，５−ジメチルピラジン、２−イソプロピル−３−メトキシピラジン、メトキシピラジン、２−メチル−６−プロポキシピラジン、２−エトキシ−（５／６）−メチルピラジン、２−エトキシ−３−エチルピラジン、２−エトキシ−３−イソプロピルピラジン、２−ヘキシル−３−メトキシピラジン、及び２−（ヒドロキシメチル）−５−メチルピラジンからなる群より選択される少なくとも一種である、請求項１４に記載の臭気変調剤。
【請求項１６】
フラン化合物、ピラン化合物及びシクロペンタノン誘導体から選択される少なくとも一種の含酸素環状化合物を含有する臭気変調剤を、アスファルト、汚泥、汚水、銀杏、堆肥、海獣、野菜、生ゴミ又は塗料の臭いの原因物質に用い、及び／又は、それらの臭いのする場所において用いることを特徴とする、臭気変調方法。
【発明の詳細な説明】
【技術分野】
【０００１】
本発明は、アスファルト、汚泥、汚水、銀杏、堆肥、海獣、野菜、生ゴミ又は塗料の臭いの変調用臭気変調剤、及びアスファルト、汚泥、汚水、銀杏、堆肥、海獣、野菜、生ゴミ又は塗料の臭いの臭気変調方法に関する。
【背景技術】
【０００２】
従来、日常生活等の様々な分野において発生する悪臭が問題となっている。
【０００３】
このような悪臭として、特に、アスファルト、汚泥、汚水、銀杏、堆肥、海獣、野菜、生ゴミ又は塗料の臭いが問題となっており、これらの臭気の害を解消することが望まれている。
【０００４】
臭気を改善する手段として、ポリフェノールを、アルカリ性を示す溶媒中、酸素分子共存下、反応時のｐＨ値が６．５以上で反応させて得られる有色の化合物を有効成分として含有することを特徴とする消臭剤組成物が開示されており、当該消臭剤組成物を悪臭の消臭に用いることが開示されている（例えば、特許文献１参照）。
【０００５】
しかしながら、上述の臭気は消え難く、上述のような臭気を消すことにより消臭を図る消臭剤を用いても、十分に消臭することができないという問題がある。
【０００６】
従って、アスファルト、汚泥、汚水、銀杏、堆肥、海獣、野菜、生ゴミ又は塗料の臭いによる問題を解決できる手段の開発が求められている。
【先行技術文献】
【特許文献】
【０００７】
【特許文献１】特開２００４−１６７２１８号公報
【発明の概要】
【発明が解決しようとする課題】
【０００８】
本発明は、アスファルト、汚泥、汚水、銀杏、堆肥、海獣、野菜、生ゴミ又は塗料の臭いを異なる臭気に変調して、これらの臭いによる害を容易に解決することができる臭気変調剤、及び臭気変調方法を提供することを目的とする。
【課題を解決するための手段】
【０００９】
本発明者は、鋭意研究を重ねた結果、アスファルト、汚泥、汚水、銀杏、堆肥、海獣、野菜、生ゴミ又は塗料の臭いを、異なる臭気に変調して他の不快でない臭いに感じさせる臭気変調剤によれば、これらの悪臭による不快感を十分に低減することができることを見出した。また、本発明者は、アスファルト、汚泥、汚水、銀杏、堆肥、海獣、野菜、生ゴミ又は塗料の臭いの変調用臭気変調剤を、これらの臭いの原因物質に用い、及び／又は、それらの臭いのする場所において用いることで、悪臭を他の臭いに変調することができ、不快感を容易に低減でき、上記目的を達成することができることを見出し、本発明を完成するに至った。
【００１０】
即ち、本発明は、下記のアスファルト、汚泥、汚水、銀杏、堆肥、海獣、野菜、生ゴミ又は塗料の臭いの変調用臭気変調剤、及びアスファルト、汚泥、汚水、銀杏、堆肥、海獣、野菜、生ゴミ又は塗料の臭いの臭気変調方法に関する。
１．アスファルト、汚泥、汚水、銀杏、堆肥、海獣、野菜、生ゴミ又は塗料の臭いの変調用臭気変調剤であって、
フラン化合物、ピラン化合物及びシクロペンタノン誘導体から選択される少なくとも一種の含酸素環状化合物を含有することを特徴とする臭気変調剤。
２．前記含酸素環状化合物の含有量は、臭気変調剤を１００質量％として１０〜２０質量％である、項１に記載の臭気変調剤。
３．前記フラン化合物は、フラネオール、フルフラール、５−メチルフルフラール、フルフリルメルカプタン、フルフリールアルコール、２−プロピオニルフラン、２−エチルフラン、メントフラン、２−メチル−３−フランチオール、２−メチル−３−テトラヒドロフランチオール、２−メチル−４，５−ジヒドロ−３−フランチオール、２−メチルフラン、２−メチルテトラヒドロフラン、２−ヘキサノイルフラン、２−ペンチルフラン、２−プロピルフラン、２−（３−フェニルプロピル）テトラヒドロフラン、２，３−ジヒドロベンゾフラン、２，４−ジメチル−４−フェニルテトラヒドロフラン、２−フルフリル−５−メチルフラン、２−ヘプチルフラン、２−メチルベンゾフラン、２−メチル−５−プロピオニルフラン、２−（５−エテニル−５−メチルテトラヒドロフラン−２−イル）−プロパナール、３−｛［２−メチル−（２ｏｒ４），５−ジヒドロ−３−フリル］チオ｝−２−メチルテトラヒドロフラン−３−チオール、２−エテニル−５−イソプロペニル−２−メチルテトラヒドロフラン、５−メチル−２−フランメタンチオール、６−メチル−２，３−ジヒドロチエノ［２，３−ｃ］フラン、２，５−ジメトキシテトラヒドロフラン、３−アセチル−２，５−ジメチルフラン、２−アセチル−５−メチルフラン、２−アセチルフラン、２−ブチルフラン、２，５−ジエチルテトラヒドロフラン、ジフルフリルジスルフィド、ジフルフリルエーテル、ジフルフリルスルフィド、及び２，５−ジメチル−３−フランチオールからなる群より選択される少なくとも一種である、項１又は２に記載の臭気変調剤。
４．前記フラン化合物の含有量は、臭気変調剤を１００質量％として０．８〜５質量％である、項１〜３のいずれかに記載の臭気変調剤。
５．前記ピラン化合物は、マルトール、エチルマルトール、４−アセトキシ−３−ペンチルテトラヒドロピラン、３，５−ジヒドロキシ−６−メチル−２，３−ジヒドロ−４（４Ｈ）−ピラノン、６−エテニル−２，２，６−トリメチルテトラヒドロピラン、５−メチル−３−ブチルテトラヒドロピラン−４−イルアセテート、オクタヒドロ−２Ｈ−１−ベンゾピラン−２−オン、４−メチル−２−（２−メチル−１−プロペニル）テトラヒドロピラン、テアスピラン、ビティスピラン、（２Ｓ，４ａＲ，８ａＳ）−２，５，５，８ａ−テトラメチル−３，４，４ａ，５，６，８ａ−ヘキサヒドロ−２Ｈ−１−ベンゾピラン、６−エテニル−２，２，６−トリメチルテトラヒドロ−３（４Ｈ）−ピラノン、６−ヒドロキシジヒドロテアスピラン、６−アセトキシジヒドロテアスピラン、及び２，６−ジエチル−５−イソプロピル−２−メチルテトラヒドロ−２Ｈ−ピランからなる群より選択される少なくとも１種である、項１〜４のいずれかに記載の臭気変調剤。
６．前記ピラン化合物の含有量は、臭気変調剤を１００質量％として５〜２０質量％である、項１〜５のいずれかに記載の臭気変調剤。
７．前記シクロペンタノン誘導体は、シクロペンタノン、シクロテン、シクロテンアセテート、シクロテンプロピオネート、シクロテンブチレート、シクロテンイソブチレート、２−ゲラニルシクロペンタノン、２−ヘキシルシクロペンタノン、２−ヘキシリデンシクロペンタノン、２−シクロペンチルシクロペンタノン、２−アミル−２−シクロペンテノン、３−メチル−２−ペンチル−２−シクロペンテノン、３−エチル−２−ヒドロキシ−２−シクロペンテノン、２−ヒドロキシ−３，４−ジメチル−２−シクロペンテノン、２−メチル−３−（２−ペンテニル）−２−シクロペンテノン、３−メチル−２−（ｃｉｓ−２−ペンテニル）−２−シクロペンテノン、３−メチル−２−（ｔｒａｎｓ−２−ペンテニル）−２−シクロペンテノン、３−メチル−２−シクロペンテノン、３−エチル−２−ヒドロキシ−４−メチル−２−シクロペンテノン、２−ヘキシル−２−シクロペンテノン、及び２，３−ジメチル−２−シクロペンテノンからなる群より選択される少なくとも１種である、項１〜６のいずれかに記載の臭気変調剤。
８．前記シクロペンタノン誘導体の含有量は、臭気変調剤を１００質量％として０．１〜５質量％である、項１〜７のいずれかに記載の臭気変調剤。
９．更に、バニリン系化合物を含有する、項１〜８のいずれかに記載の臭気変調剤。
１０．前記バニリン系化合物は、バニリン、エチルバニリン、アセトアルデヒドエチルバニリンアセタール、バニリンアセテート、エチルバニリンイソブチレート、アセトバニロン、エチルバニレート、エチルバニリンプロピレングリコールアセタール、メチルバニレート、バニリックアシド、バニリンイソブチレート、ブチルバニレート、バニリン２，３−ブタンジオールアセタール、及びバニリンラクテートからなる群より選択される少なくとも一種である、項９に記載の臭気変調剤。
１１．前記バニリン系化合物の含有量は、臭気変調剤を１００質量％として１０〜２０質量％である、項９又は１０に記載の臭気変調剤。
１２．更に、ピリジン類を含有する、項１〜１１のいずれかに記載の臭気変調剤。
１３．前記ピリジン類は、２−アセチルピリジン、３−アセチルピリジン、４−アセチルピリジン、２−アセチル−１，４，５，６−テトラヒドロピリジン、２−アセチル−４−イソプロペニルピリジン、４−アセチル−２−イソプロペニルピリジン、２−アセチル−４−イソプロピルピリジン、３，５−ジメチル−４，５，６，７−テトラヒドロチエノ［３，２−ｃ］ピリジン、及び２−アセチル−３，４，５，６−テトラヒドロピリジンからなる群より選択される少なくとも一種である、項１２に記載の臭気変調剤。
１４．更に、ピラジン類を含有する、項１〜１３のいずれかに記載の臭気変調剤。
１５．前記ピラジン類は、２−メチルチオ−３−メチルピラジン、２−メトキシ−３−メチルピラジン、２−エチル−３（５／６）ジメチルピラジン、２−エチル−３−メチルピラジン、２−メトキシ−５−メチルピラジン、２−アセチル−３，（５／６）−ジメチルピラジン、２−アセチル−３−エチルピラジン、２−アセチル−３−メチルピラジン、アセチルピラジン、２−（フルフリルチオ）−（３／５／６）−メチルピラジン、２−メチル−（５／６）−（メチルチオ）ピラジン、２−エチル−３−（メチルチオ）ピラジン２−イソプロピル−３−（メチルチオ）ピラジン、２−ｓｅｃ−ブチル−３−メトキシピラジン、２−エトキシ−（３／５／６）−メチルピラジン、２−エトキシ−３−エチルピラジン、２−エトキシ−３−イソプロピルピラジン、２−エチル−３−メトキシピラジン、２−ヘキシル−３−メトキシピラジン、２−イソブチル−３−メトキシピラジン、２−イソプロポキシ−３−メチルピラジン、２−イソプロピル−（３／５／６）−メトキシピラジン、２−メトキシ−（５／６）−メチルピラジン、２−メトキシ−３，５−ジメチルピラジン、２−イソプロピル−３−メトキシピラジン、メトキシピラジン、２−メチル−６−プロポキシピラジン、２−エトキシ−（５／６）−メチルピラジン、２−エトキシ−３−エチルピラジン、２−エトキシ−３−イソプロピルピラジン、２−ヘキシル−３−メトキシピラジン、及び２−（ヒドロキシメチル）−５−メチルピラジンからなる群より選択される少なくとも一種である、項１４に記載の臭気変調剤。
１６．フラン化合物、ピラン化合物及びシクロペンタノン誘導体から選択される少なくとも一種の含酸素環状化合物を含有する臭気変調剤を、アスファルト、汚泥、汚水、銀杏、堆肥、海獣、野菜、生ゴミ又は塗料の臭いの原因物質に用い、及び／又は、それらの臭いのする場所において用いることを特徴とする、臭気変調方法。
【発明の効果】
【００１１】
本発明のアスファルト、汚泥、汚水、銀杏、堆肥、海獣、野菜、生ゴミ又は塗料の臭いの変調用臭気変調剤は、これらの臭いを異なる臭気に変調して他の不快でない臭いに感じさせるように変調することができ、これらの悪臭による不快感を低減することができる。また、本発明の臭気変調方法によれば、上記臭気変調剤をアスファルト、汚泥、汚水、銀杏、堆肥、海獣、野菜、生ゴミ又は塗料の臭いの原因物質に用い、及び／又は、それらの臭いのする場所において用いることで、これらの臭いを他の臭いに変調することができ、これらの悪臭による不快感を容易に低減することができる。
【発明を実施するための形態】
【００１２】
以下、本発明の臭気変調剤及び臭気変調方法について詳細に説明する。
【００１３】
１．アスファルト、汚泥、汚水、銀杏、堆肥、海獣、野菜、生ゴミ又は塗料の臭いの変調用臭気変調剤
本発明のアスファルト、汚泥、汚水、銀杏、堆肥、海獣、野菜、生ゴミ又は塗料の臭いの変調用臭気変調剤（本明細書において、単に「臭気変調剤」とも示すことがある。）は、フラン化合物、ピラン化合物及びシクロペンタノン誘導体から選択される少なくとも一種の含酸素環状化合物を含有する。本発明の臭気変調剤は、アスファルト、汚泥、汚水、銀杏、堆肥、海獣、野菜、生ゴミ又は塗料の臭いの変調用に用いられる。
【００１４】
アスファルトとしては、原油を蒸留して製造される石油アスファルトや、天然に存在する天然アスファルトが挙げられる。アスファルトの臭いとしては、これらのアスファルトにより地面を舗装した際や、舗装後しばらくの間空気中に漂う、アスファルト成分由来の臭いが挙げられる。
【００１５】
汚泥としては、下水処理場や浄化槽に沈殿する沈殿物が挙げられる。
【００１６】
汚水としては、下水処理場や浄化槽の下部に貯まる水、下水道の水が挙げられる。
【００１７】
銀杏は、イチョウの木の種子であり、街路樹等として植生するイチョウから街路上に落下し、臭いを発生する。
【００１８】
堆肥としては、糞便堆肥、植物系堆肥が挙げられる。
【００１９】
海獣としては、一般に水族館や動物園等で飼育される海獣が挙げられ、例えば、ペンギン、クジラ、シャチ、イルカ、ラッコ、アザラシ、オットセイ等が例示できる。海獣の臭いとしては、これらの海獣が飼育される水槽、プール、飼育室及び展示エリアにおいて臭う臭いが挙げられる。本発明の臭気変調剤は、これらの中でもペンギンの臭気を変調するのに特に適している。
【００２０】
野菜としては、臭いの強いヒガンバナ科の植物が挙げられ、このような植物としては、アリウム属植物であるタマネギ、ネギ、ニンニク等が挙げられる。本発明の臭気変調剤は、これらの中でもタマネギの臭気を変調するのに特に適している。
【００２１】
生ゴミとしては、家庭や商業施設から生ゴミとして出され、ゴミ処理施設に運搬される生ゴミが挙げられる。本発明の臭気変調剤は、ゴミ処理施設において、生ゴミが焼却されるまでに一旦貯蔵されるゴミピット（ゴミバンカ）の臭気を変調するのに特に適している。
【００２２】
塗料としては、一般に使用される水系塗料、溶剤系塗料等が挙げられる。水系塗料としては、例えば、水溶性アクリル／メラミン樹脂塗料、水溶性アルキド／メラミン樹脂塗料、アクリルエマルション塗料、ウレタンエマルション塗料等が挙げられる。溶剤系塗料としては、例えば、アクリルメラミン樹脂塗料、アルキドメラミン樹脂塗料、ウレタン樹脂塗料、エポキシ樹脂塗料等が挙げられる。
【００２３】
（フラン化合物）
フラン化合物は、含酸素環状化合物であり、４個の炭素原子と１個の酸素原子により形成される５員環のフラン骨格を有していれば特に限定されない。フラン化合物としては、例えば、フラネオール、フルフラール、５−メチルフルフラール、フルフリルメルカプタン、フルフリールアルコール、２−プロピオニルフラン、２−エチルフラン、メントフラン、２−メチル−３−フランチオール、２−メチル−３−テトラヒドロフランチオール、２−メチル−４，５−ジヒドロ−３−フランチオール、２−メチルフラン、２−メチルテトラヒドロフラン、２−ヘキサノイルフラン、２−ペンチルフラン、２−プロピルフラン、２−（３−フェニルプロピル）テトラヒドロフラン、２，３−ジヒドロベンゾフラン、２，４−ジメチル−４−フェニルテトラヒドロフラン、２−フルフリル−５−メチルフラン、２−ヘプチルフラン、２−メチルベンゾフラン、２−メチル−５−プロピオニルフラン、２−（５−エテニル−５−メチルテトラヒドロフラン−２−イル）−プロパナール、３−｛［２−メチル−（２ｏｒ４），５−ジヒドロ−３−フリル］チオ｝−２−メチルテトラヒドロフラン−３−チオール、２−エテニル−５−イソプロペニル−２−メチルテトラヒドロフラン、５−メチル−２−フランメタンチオール、６−メチル−２，３−ジヒドロチエノ［２，３−ｃ］フラン、２，５−ジメトキシテトラヒドロフラン、３−アセチル−２，５−ジメチルフラン、２−アセチル−５−メチルフラン、２−アセチルフラン、２−ブチルフラン、２，５−ジエチルテトラヒドロフラン、ジフルフリルジスルフィド、ジフルフリルエーテル、ジフルフリルスルフィド、及び２，５−ジメチル−３−フランチオール等が挙げられる。これらの中でも、フラネオール、５−メチルフルフラール、フルフリルメルカプタンが好ましい。
【００２４】
フラン化合物の含有量は、臭気変調剤を１００質量％として０．５〜１０質量％が好ましく、０．８〜５質量％がより好ましく、０．８〜３質量％が更に好ましく、０．８〜１．５質量％が特に好ましく、０．９〜１．２質量％が最も好ましい。フラン化合物の含有量を上記範囲とすることにより、臭気変調剤がアスファルト、汚泥、汚水、銀杏、堆肥、海獣、野菜、生ゴミ及び塗料の悪臭を異なる臭気に変調し易くなり、これらの臭気による不快感を十分に低減することができる。
【００２５】
上記フラン化合物は、一種単独で用いてもよいし、二種以上を混合して用いてもよい。
【００２６】
（ピラン化合物）
ピラン化合物は、含酸素環状化合物であり、５個の炭素原子と１個の酸素原子により形成される６員環のエーテル化合物を骨格とするピラン骨格を有していれば特に限定されない。ピラン化合物としては、例えば、マルトール、エチルマルトール、４−アセトキシ−３−ペンチルテトラヒドロピラン、３，５−ジヒドロキシ−６−メチル−２，３−ジヒドロ−４（４Ｈ）−ピラノン、６−エテニル−２，２，６−トリメチルテトラヒドロピラン、５−メチル−３−ブチルテトラヒドロピラン−４−イルアセテート、オクタヒドロ−２Ｈ−１−ベンゾピラン−２−オン、４−メチル−２−（２−メチル−１−プロペニル）テトラヒドロピラン、テアスピラン、ビティスピラン、（２Ｓ，４ａＲ，８ａＳ）−２，５，５，８ａ−テトラメチル−３，４，４ａ，５，６，８ａ−ヘキサヒドロ−２Ｈ−１−ベンゾピラン、６−エテニル−２，２，６−トリメチルテトラヒドロ−３（４Ｈ）−ピラノン、６−ヒドロキシジヒドロテアスピラン、６−アセトキシジヒドロテアスピラン、及び２，６−ジエチル−５−イソプロピル−２−メチルテトラヒドロ−２Ｈ−ピラン等が挙げられる。これらの中でも、エチルマルトールが好ましい。
【００２７】
ピラン化合物の含有量は、臭気変調剤を１００質量％として５〜２０質量％が好ましく、５〜１５質量％がより好ましく、８〜１５質量％更に好ましく、８〜１２質量％が特に好ましい。ピラン化合物の含有量を上記範囲とすることにより、臭気変調剤がアスファルト、汚泥、汚水、銀杏、堆肥、海獣、野菜、生ゴミ及び塗料の悪臭を異なる臭気に変調し易くなり、これらの臭気による不快感を十分に低減することができる。
【００２８】
上記ピラン化合物は、一種単独で用いてもよいし、二種以上を混合して用いてもよい。
【００２９】
（シクロペンタノン誘導体）
シクロペンタノン誘導体は、含酸素環状化合物であり、５個の炭素原子により形成される５員環のシクロペンタン骨格と、酸素原子を有していれば特に限定されない。シクロペンタノン誘導体としては、例えば、シクロペンタノン、シクロテン、シクロテンアセテート、シクロテンプロピオネート、シクロテンブチレート、シクロテンイソブチレート、２−ゲラニルシクロペンタノン、２−ヘキシルシクロペンタノン、２−ヘキシリデンシクロペンタノン、２−シクロペンチルシクロペンタノン、２−アミル−２−シクロペンテノン、３−メチル−２−ペンチル−２−シクロペンテノン、３−エチル−２−ヒドロキシ−２−シクロペンテノン、２−ヒドロキシ−３，４−ジメチル−２−シクロペンテノン、２−メチル−３−（２−ペンテニル）−２−シクロペンテノン、３−メチル−２−（ｃｉｓ−２−ペンテニル）−２−シクロペンテノン、３−メチル−２−（ｔｒａｎｓ−２−ペンテニル）−２−シクロペンテノン、３−メチル−２−シクロペンテノン、３−エチル−２−ヒドロキシ−４−メチル−２−シクロペンテノン、２−ヘキシル−２−シクロペンテノン、２，３−ジメチル−２−シクロペンテノン等が挙げられる。これらの中でも、シクロテンが好ましい。
【００３０】
シクロペンタノン誘導体の含有量は、臭気変調剤を１００質量％として０．１〜５質量％が好ましく、０．５〜３質量％がより好ましい。ピラン化合物の含有量を上記範囲とすることにより、臭気変調剤がアスファルト、汚泥、汚水、銀杏、堆肥、海獣、野菜、生ゴミ及び塗料の悪臭を異なる臭気に変調し易くなり、これらの臭気による不快感を十分に低減することができる。
【００３１】
上記シクロペンタノン誘導体は、一種単独で用いてもよいし、二種以上を混合して用いてもよい。
【００３２】
本発明の臭気変調剤は、フラン化合物、ピラン化合物及びシクロペンタノン誘導体から選択される少なくとも一種の含酸素環状化合物を含有するものであるが、フラン化合物及びピラン化合物から選択される少なくとも一種の含酸素環状化合物を含有することが好ましい。
【００３３】
上記含酸素環状化合物の臭気変調剤中の含有量、すなわち、フラン化合物、ピラン化合物及びシクロペンタノン誘導体の含有量の合計は、臭気変調剤を１００質量％として、１〜２５質量％が好ましく、１〜２０質量％がより好ましく、１〜１５質量％が更に好ましく、１０〜１５質量％が特に好ましい。含酸素環状化合物の含有量を上記範囲とすることにより、臭気変調剤がアスファルト、汚泥、汚水、銀杏、堆肥、海獣、野菜、生ゴミ及び塗料の悪臭を異なる臭気に変調し易くなり、これらの臭気による不快感を十分に低減することができる。
【００３４】
臭気変調剤中のフラン化合物と、ピラン化合物との含有量の比は、質量比でフラン化合物：ピラン化合物＝１：２〜１：５が好ましく、１：３〜１：４がより好ましい。フラン化合物と、ピラン化合物との含有量の比を上記範囲とすることにより、臭気変調剤がアスファルト、汚泥、汚水、銀杏、堆肥、海獣、野菜、生ゴミ及び塗料の悪臭を異なる臭気に変調し易くなり、これらの臭気による不快感を十分に低減することができる。
【００３５】
（バニリン系化合物）
本発明の臭気変調剤は、更にバニリン系化合物を含有することが好ましい。臭気変調剤がバニリン系化合物を含有することにより、より優れた臭気変調効果を示すことができ、アスファルト、汚泥、汚水、銀杏、堆肥、海獣、野菜、生ゴミ及び塗料の悪臭による不快感をより効果的に低減することができる。
【００３６】
バニリン系化合物は、バニリン骨格を有する化合物であれば特に限定されない。バニリン系化合物としては、例えば、バニリン、エチルバニリン、アセトアルデヒドエチルバニリンアセタール、バニリンアセテート、エチルバニリンイソブチレート、アセトバニロン、エチルバニレート、エチルバニリンプロピレングリコールアセタール、メチルバニレート、バニリックアシド、バニリンイソブチレート、ブチルバニレート、バニリン２，３−ブタンジオールアセタール、バニリンラクテート等が挙げられる。これらの中でも、バニリン、エチルバニリンが好ましい。
【００３７】
バニリン系化合物の含有量は、臭気変調剤を１００質量％として５〜２５質量％が好ましく、５〜２０質量％がより好ましく、１０〜２０質量％が更に好ましく、１０〜１５質量％が特に好ましい。バニリン系化合物の含有量を上記範囲とすることにより、臭気変調剤がアスファルト、汚泥、汚水、銀杏、堆肥、海獣、野菜、生ゴミ及び塗料の悪臭を異なる臭気により変調し易くなり、これらの臭気による不快感を十分に低減することができる。
【００３８】
上記バニリン系化合物は、一種単独で用いてもよいし、二種以上を混合して用いてもよい。
【００３９】
（ピリジン類）
本発明の臭気変調剤は、更にピリジン類を含有することが好ましい。臭気変調剤がピリジン類を含有することにより、より優れた臭気変調効果を示すことができ、アスファルト、汚泥、汚水、銀杏、堆肥、海獣、野菜、生ゴミ及び塗料の悪臭による不快感をより効果的に低減することができる。
【００４０】
ピリジン類は、含窒素複素環式芳香族化合物であり、５個の炭素原子と１個の窒素原子により形成される６員環構造を有するピリジンを骨格とするピリジン骨格を有していれば特に限定されない。ピリジン類としては、例えば、２−アセチルピリジン、３−アセチルピリジン、４−アセチルピリジン、２−アセチル−１，４，５，６−テトラヒドロピリジン、２−アセチル−４−イソプロペニルピリジン、４−アセチル−２−イソプロペニルピリジン、２−アセチル−４−イソプロピルピリジン、３，５−ジメチル−４，５，６，７−テトラヒドロチエノ［３，２−ｃ］ピリジン、２−アセチル−３，４，５，６−テトラヒドロピリジン等が挙げられる。これらの中でも、２−アセチルピリジンが好ましい。
【００４１】
ピリジン類の含有量は、臭気変調剤を１００質量％として、０．０５〜０．３質量％が好ましく、０．１〜０．２質量％がより好ましい。ピリジン類の含有量を上記範囲とすることにより、臭気変調剤がアスファルト、汚泥、汚水、銀杏、堆肥、海獣、野菜、生ゴミ及び塗料の悪臭を異なる臭気により変調し易くなり、これらの臭気による不快感を十分に低減することができる。
【００４２】
上記ピリジン類は、一種単独で用いてもよいし、二種以上を混合して用いてもよい。
【００４３】
（ピラジン類）
本発明の臭気変調剤は、更にピラジン類を含有することが好ましい。臭気変調剤がピラジン類を含有することにより、より優れた臭気変調効果を示すことができ、アスファルト、汚泥、汚水、銀杏、堆肥、海獣、野菜、生ゴミ及び塗料の悪臭による不快感をより効果的に低減することができる。
【００４４】
ピラジン類は、含窒素複素環式芳香族化合物であり、４個の炭素原子と２個の窒素原子により形成される６員環構造を有する化合物であるピラジンを骨格とするピラジン骨格を有していれば特に限定されない。ピラジン類としては、例えば、２−メチルチオ−３−メチルピラジン、２−メトキシ−３−メチルピラジン、２−エチル−３（５／６）ジメチルピラジン、２−エチル−３−メチルピラジン、２−メトキシ−５−メチルピラジン、２−アセチル−３，（５／６）−ジメチルピラジン、２−アセチル−３−エチルピラジン、２−アセチル−３−メチルピラジン、アセチルピラジン、２−（フルフリルチオ）−（３／５／６）−メチルピラジン、２−メチル−（５／６）−（メチルチオ）ピラジン、２−エチル−３−（メチルチオ）ピラジン２−イソプロピル−３−（メチルチオ）ピラジン、２−ｓｅｃ−ブチル−３−メトキシピラジン、２−エトキシ−（３／５／６）−メチルピラジン、２−エトキシ−３−エチルピラジン、２−エトキシ−３−イソプロピルピラジン、２−エチル−３−メトキシピラジン、２−ヘキシル−３−メトキシピラジン、２−イソブチル−３−メトキシピラジン、２−イソプロポキシ−３−メチルピラジン、２−イソプロピル−（３／５／６）−メトキシピラジン、２−メトキシ−（５／６）−メチルピラジン、２−メトキシ−３，５−ジメチルピラジン、２−イソプロピル−３−メトキシピラジン、メトキシピラジン、２−メチル−６−プロポキシピラジン、２−エトキシ−（５／６）−メチルピラジン、２−エトキシ−３−エチルピラジン、２−エトキシ−３−イソプロピルピラジン、２−ヘキシル−３−メトキシピラジン、２−（ヒドロキシメチル）−５−メチルピラジン等が挙げられる。これらの中でも、２−メチルチオ−３−メチルピラジンが好ましい。
【００４５】
ピラジン類の含有量は、臭気変調剤を１００質量％として０．１〜０．５質量％が好ましく、０．１〜０．４質量％がより好ましい。ピラジン類の含有量を上記範囲とすることにより、臭気変調剤がアスファルト、汚泥、汚水、銀杏、堆肥、海獣、野菜、生ゴミ及び塗料の悪臭を異なる臭気により変調し易くなり、これらの臭気による不快感を十分に低減することができる。
【００４６】
上記ピラジン類は、一種単独で用いてもよいし、二種以上を混合して用いてもよい。
【００４７】
（他の添加剤）
本発明の臭気変調剤は、本発明の効果を妨げない限り、他の添加剤を含有していてもよい。他の添加剤としては、例えば、上記フラン化合物、ピラン化合物、バニリン系化合物、ピリジン類及びピラジン類以外の有機酸、エステル系化合物、アルデヒド系化合物、ケトン系化合物等が挙げられる。
【００４８】
臭気変調剤中の上記他の添加剤の含有量の合計は、臭気変調剤を１００質量％として３０質量％以下が好ましく、２０質量％以下がより好ましく、１０質量％以下が更に好ましく、５質量％以下が特に好ましい。他の添加剤の含有量の合計を上記範囲とすることにより、臭気変調剤がアスファルト、汚泥、汚水、銀杏、堆肥、海獣、野菜、生ゴミ及び塗料の悪臭を異なる臭気により変調し易くなり、これらの臭気による不快感を十分に低減することができる。
【００４９】
（溶媒）
本発明の臭気変調剤において、上記各成分は、溶媒中に分散していることが好ましい。溶媒中に分散していることにより、アスファルト、汚泥、汚水、銀杏、堆肥、海獣、野菜、生ゴミ及び塗料の臭いの原因物質に、塗布、添加等により容易に用いることができ、これらの臭いのする場所において、空気中に、容易に噴霧、散布等を行うことができる。
【００５０】
溶媒としては水、溶剤を用いることができる。溶剤としては特に限定されず、例えば、アルコール、エーテル、ケトン、エステル等が挙げられる。中でも、臭気変調剤を空気中に噴霧した際に適度な揮発性を示し、人や海獣に対する有害性が低い点で、アルコールが好ましい。
【００５１】
上記アルコールとしては特に限定されず、モノアルコール、又は、ジオール、トリオール等のポリオールが挙げられる。また、上記アルコールとしては、炭素数２〜４のアルコールを好適に用いることができる。上記アルコールの炭素数は、２〜３がより好ましい。
【００５２】
上記アルコールとしては、具体的には、エタノール、プロピレングリコール、グリセリン等が挙げられ、臭気変調剤を空気中に噴霧した際に適度な揮発性を示し、人や海獣に対する有害性が低い点で、エタノール、プロピレングリコールが好ましい。
【００５３】
上記溶媒は、一種単独で用いてもよいし、二種以上を混合して用いてもよい。
【００５４】
溶媒の含有量は、臭気変調剤を１００質量％として２０〜９０質量％が好ましく、３０〜９０質量％がより好ましく、４０〜８０質量％更に好ましく、５０〜８０質量％特に好ましい。溶媒の含有量を上記範囲とすることにより、臭気変調剤を空気中に噴霧し易くなり、且つ、空気中に噴霧した際に適度な揮発性及び保留性を示すことができる。
【００５５】
溶媒として、水と溶剤とを混合して用いる場合は、水と溶剤との含有量の比は、質量比で水：溶剤＝２：９８〜１０：９０が好ましく、１０：９０〜２０：８０がより好ましい。水と溶剤との含有量の比を上記範囲とすることにより、臭気変調剤を空気中に噴霧した際に適度な揮発性を示し、人や海獣に対する有害性をより低減することができる。
【００５６】
２．臭気変調方法
本発明は、また、フラン化合物、ピラン化合物及びシクロペンタノン誘導体から選択される少なくとも一種の含酸素環状化合物を含有する臭気変調剤を、アスファルト、汚泥、汚水、銀杏、堆肥、海獣、野菜、生ゴミ又は塗料の臭いの原因物質に用い、及び／又は、それらの臭いのする場所において用いることを特徴とする臭気変調方法でもある。
【００５７】
本発明の臭気変調方法において用いる臭気変調剤は、上述のアスファルト、汚泥、汚水、銀杏、堆肥、海獣、野菜、生ゴミ又は塗料の臭いの変調用臭気変調剤を用いることができる。
【００５８】
上記臭いの原因物質に用いる方法としては、臭いの原因物質に散布、又は混合する方法が挙げられる。臭いの原因物質に散布する方法としては特に限定されず、臭気変調剤を臭いの原因物質にかける方法が挙げられる。また、臭いの原因物質に混合する方法としては、例えば、臭いの原因物質がアスファルトである場合、加熱された溶融状態のアスファルトに臭気変調剤を添加する方法が挙げられる。
【００５９】
臭気変調剤は、臭いの原因物質に用いてもよいし、臭いのする場所において用いてもよいし、両方に用いてもよい。
【００６０】
上記臭いのする場所において用いる方法としては、臭気変調剤を霧状にして空気中に噴霧する方法、臭気変調剤を液滴状にして散布する方法等が挙げられる。臭気変調剤を霧状にして空気中に噴霧する方法としては、例えば、スプレー噴霧による方法、マニアスプレッダにより堆肥と同時に噴霧する方法、霧状の臭気変調剤を風により飛散させる方法等の噴霧方法が挙げられる。また、液滴状の臭気変調剤を散布する方法としては、液状の臭気変調剤をノズルから吐出して散布する方法等の散布方法が挙げられる。
【００６１】
臭気変調剤を用いる際の臭気変調剤の温度は特に限定されず、１０〜２５℃が好ましく、１５〜２０℃がより好ましい。上記温度範囲で臭気変調剤を用いることにより、臭気変調効果をより一層向上させることができる。
【００６２】
臭気変調剤をスプレー又はノズルから、噴霧又は散布する際の圧力は、０．２〜０．６ＭＰａが好ましく、０．３〜０．５ＭＰａがより好ましい。上記範囲の圧力で臭気変調剤を噴霧又は散布することにより、臭気変調剤をより広い範囲に効果的に噴霧又は散布することができる。
【００６３】
臭気変調剤を噴霧又は散布する場所としては特に限定されず、アスファルトの臭いがする道路や工事現場、汚泥の臭いがする下水処理場、浄化槽付近、汚水の臭いがする下水処理場、浄化槽、下水道付近、銀杏の臭いがする街路上、堆肥の臭いがする農場、海獣の臭いがする水族館や動物園、野菜の臭いがする食品加工場、生ゴミの臭いがするゴミ処理施設のゴミピット（ゴミバンカ）、塗料の臭いがする塗装の作業現場等において空気中に噴霧することができる。これらの場所において臭気変調剤を空気中に噴霧することで、悪臭を他の臭いに変調することができ、不快感を容易に低減できる。
【実施例】
【００６４】
以下に実施例及び比較例を示して本発明を具体的に説明する。但し、本発明は実施例に限定されない。
【００６５】
（臭気変調剤の調製）
表１に示す臭気変調剤の原料を、混合槽に投入して混合、撹拌し、臭気変調剤を調製した。具体的には、加熱装置を備えた混合槽に、表１に示す配合により溶剤を投入し、次いで他の原料を順次添加して、２０℃の条件下で３０分間撹拌して、臭気変調剤を調製した。
【００６６】
（評価）
上記のようにして調製した実施例及び比較例の臭気変調剤を用いて、以下の評価を行った。すなわち、実施例及び比較例の臭気変調剤を質量比でプロピレングリコール（ＰＧ）：水：臭気変調剤＝４５：５０：５となるように混合して希釈液を調製した。
【００６７】
次いで、プラスチック製の内系２ｃｍのキャップ（フタ）内に汚泥０．５ｇを入れた。菌検査用滅菌シャーレの底面にＮｏ．２の濾紙を置き、濾紙の中央部に上記キャップを置き、キャップの周辺の濾紙に希釈液０．２ｇを環状に滴下して試料を調製した。また、希釈液を滴下しないブランクも調製した。
【００６８】
次いで、試料及びブランクにシャーレで蓋をして、室温下（２０℃）で１０分間静置した。静置後蓋を開けて、被験者がシャーレの中央の上１０ｃｍから臭いを嗅ぎ、ブランクの臭いと対比して、下記評価基準に従って官能評価を行った。被験者８人で上記試験を行い、下記評価基準の配点に、各評価をした人数を乗じて得られた点数により評価した。
【００６９】
（１）汚泥の臭いを感じたか
・汚泥の臭いを全く感じなかった（３点）
・汚泥の臭いを感じなかった（２点）
・汚泥の臭いを若干感じた（１点）
・汚泥の臭いを感じた（０点）
【００７０】
（２）ブランクから臭いが変わったと感じたか
・ブランクから臭いが変わったと感じた（３点）
・ブランクから臭いが若干変わったと感じた（２点）
・ブランクから臭いがあまり変わっていないと感じた（１点）
・ブランクから臭いが全く変わっていないと感じた（０点）
【００７１】
（３）良い臭いだと感じたか
・良い臭いだと感じた（３点）
・若干良い臭いだと感じた（２点）
・あまり良い臭いだと感じなかった（１点）
・全く良い臭いだと感じなかった（０点）
【００７２】
汚水、銀杏、植物堆肥、ペンギンの糞尿、玉ねぎ、ゴミピット（ゴミバンカ）の底から採取した液体、塗料についても上記と同一の試験を行い、同一の官能評価を行った。
【００７３】
アスファルトの臭いの評価については、以下のようにして評価を行った。すなわち、アスファルトのサンプルを耐熱容器に入れ、加熱を行った。アスファルトが溶融状態となった後、含有量が０．１質量％となるように溶融状態のアスファルトに上述の希釈液を添加し、撹拌して試料を調製した。また、希釈液を添加しないブランクも調製した。次いで、試料の温度を維持しながら被験者が耐熱容器の中央の上１０ｃｍから臭いを嗅ぎ、ブランクの臭いと対比して、上述の官能評価を行った。
【００７４】
結果を表２に示す。
【００７５】
【表１】
2019097697.tif 000002
【００７６】
【表２】
2019097697.tif 000003